(57)【要約】【課題】本発明を通じて、ネットワーク資源の浪費を避ける、メディア資源が有効に転送できることを保障する。【解決手段】本発明の方法には、フィード・パックされたユーザー端末のタイプメッセージを獲得し；転送しようとするメディア資源のタイプとマッチングするユーザー端末の数を統計し、当該ユーザー端末の数が所定されたしきい値より大きいかを判断し、大きい場合、ポイント・ツー・マルチポイントのキャリア方式を採用して当該転送しようとするメディア資源を送信し、大きくない場合、ポイント・ツー・ポイントのキャリア方式を採用して当該転送しようとするメディア資源を送信するステップが含まれ；端末には、移動通信端末とユーザー端末タイプのフィード・パックモジュールが含まれる。【選択図】図８
2008283685.tif 000002
【特許請求の範囲】
【請求項１】
ＲＮＣ、ＳＧＳＮ、ＧＧＳＮ及びＢＭ−ＳＣが順番的に接続されているマルチ・メディア・ブロードキャスト／マルチキャスト業務のデータ転送システムであって、更に、
フィード・パックされたユーザー端末のタイプに係るメッセージを獲得するためのＵＥタイプのサーチモジュール；
ユーザー端末のタイプとメディア資源のタイプを記憶するためのデータベース；
ＵＥタイプのサーチモジュールにより獲得された上記ユーザー端末のタイプに係るメッセージに従って、上記データベースにおいて、ユーザー端末とマッチングするメディア資源のタイプをサーチし、且つ上記メディア資源のタイプとマッチングするユーザー端末の数を統計するための処理モジュールが含まれ；
上記ＲＮＣは、処理モジュールにより統計されて得られた上記ユーザー端末の数に従って、ＵＥに対してメディア資源のデータを転送するキャリア方式を確定する、ことを特徴とするマルチ・メディア・ブロードキャスト／マルチキャスト業務のデータ転送システム。
【請求項２】
上記処理モジュールによりサーチされた上記メディア資源のタイプに従って、転送しようとするメディア資源に対して、フォーマットを変換するためのフォーマット変換サーバが更に含まれていることを特徴とする請求項１記載のマルチ・メディア・ブロードキャスト／マルチキャスト業務のデータ転送システム。
【請求項３】
上記ＵＥタイプのサーチモジュールが上記ＲＮＣに搭載されていることを特徴とする請求項
１又は請求項２記載のマルチ・メディア・ブロードキャスト／マルチキャスト業務のデータ転送システム。
【請求項４】
上記処理モジュール及び上記データベースは、独立に設置され、上記処理モジュールは、上記ＲＮＣと直接に接続される、ことを特徴とする請求項３記載のマルチ・メディア・ブロードキャスト／マルチキャスト業務のデータ転送システム。
【請求項５】
上記処理モジュール及び上記データベースは、上記ＲＮＣに設置されていることを特徴とする請求項３記載のマルチ・メディア・ブロードキャスト／マルチキャスト業務のデータ転送システム。
【請求項６】
上記ＵＥタイプのサーチモジュールは、上記ＢＭ−ＳＣに設置されている、ことを特徴とする請求項１又は請求項２記載のマルチ・メディア・ブロードキャスト／マルチキャスト業務のデータ転送システム。
【請求項７】
上記処理モジュールは、上記データベースと独立に設置され、上記処理モジュールは、上記ＢＭ−ＳＣ、上記ＳＧＳＮ及び上記ＧＧＳＮを通じて、ＲＮＣと接続する、ことを特徴とする請求項６記載のマルチ・メディア・ブロードキャスト／マルチキャスト業務のデータ転送システム。
【請求項８】
上記処理モジュールと上記データベースは、ＢＭ−ＳＣに設置されている、ことを特徴とする請求項６記載のマルチ・メディア・ブロードキャスト／マルチキャスト業務のデータ転送システム。
【請求項９】
業務の組み立て要求を受信した後、フィード・パックされたユーザー端末のタイプに係るメッセージを獲得する；
上記ユーザー端末のタイプに係るメッセージに従って、転送しようとするメディア資源のタイプとマッチングするユーザー端末の数を統計する；
上記ユーザー端末の数が、所定されたしきい値より大きいかを判断し、大きい場合、ポイント・ツー・マルチポイントのキャリア方式を採用して、上記メディア資源を送信し、大きくない場合、ポイント・ツー・ポイントのキャリア方式を採用して、上記メディア資源を送信する、
ステップを含むことを特徴とするマルチ・メディア・ブロードキャスト／マルチキャスト業務のデータ転送方法。
【請求項１０】
上記フィード・パックされたユーザー端末のタイプメッセージを獲得する前に、
業務の組み立てを要求するユーザーの端末に、ユーザー端末タイプのサーチメッセージを送信するステップが更に含む、ことを特徴とする請求項９記載のマルチ・メディア・ブロードキャスト/マルチキャスト業務のデータ転送方法。
【請求項１１】
上記ユーザー端末タイプのサーチメッセージを送信する前に、業務の組み立てを要求するユーザー端末の数を統計するステップが更に含まれる、ことを特徴とする請求項１０記載のマルチ・メディア・ブロードキャスト/マルチキャスト業務のデータ転送方法。
【請求項１２】
上記メディア資源のタイプとマッチングするユーザー端末の数を統計する前に、
上記メディア資源のタイプとマッチングしないユーザー端末のユーザー端末タイプメッセージによって、当該ユーザー端末とマッチングするメディア資源のタイプをサーチする；
転送しようとする上記メディア資源のタイプをサーチされた上記メディア資源のタイプに変換する；ステップが更に含まれる、ことを特徴とする請求項９乃至請求項１１の何れかに記載のマルチ・メディア・ブロードキャスト/マルチキャスト業務のデータ転送方法。
【請求項１３】
移動通信端末を含むマルチ・メディア・ブロードキャスト/マルチキャスト業務の端末であって、
ユーザー端末のタイプメッセージを送信するためのＵＥタイプのフィード・パック・モジュールが更に含まれる、ことを特徴とするマルチ・メディア・ブロードキャスト／マルチキャスト業務の端末。
【請求項１４】
上記ＵＥタイプのフィード・パック・モジュールは、上記移動通信端末と一体化に設置されている、ことを特徴とする請求項１３記載のマルチ・メディア・ブロードキャスト／マルチキャスト業務の端末。
【請求項１５】
上記ＵＥタイプのフィード・パック・モジュールは、上記移動通信端末と通信することができ、且つ分離的に設置されている、ことを特徴とする請求項１４記載のマルチ・メディア・ブロードキャスト／マルチキャスト業務の端末。
【発明の詳細な説明】
【技術分野】
【０００１】
本発明は、マルチ・メディア・ブロードキャスト/マルチキャスト業務のデータ転送システム、方法及び端末に関し、ネットワーク通信分野に属する。
【背景技術】
【０００２】
人の生活水準が高めて、通信技術が発展することに従って、ユーザーは、伝統的な電話、メッセージ類の移動通信業務を要求するだけではなく、更に移動マルチ・メディア業務に対しても需要があっていく。既存のＩＰマルチ・キャスト技術は、移動通信ネットワークが移動マルチ・メディア業務を展開することに適応しないので、第３世代移動体通信システムの標準化プロジェクト（３ＧＰＰ、Ｔｈｉｒｄ  Ｇｅｎｅｒａｔｉｏｎ  Ｐａｒｔｎｅｒｓｈｉｐ  Ｐｒｏｊｅｃｔ）は、マルチ・メディア・ブロードキャスト/マルチキャスト（Ｍｕｌｔｉｍｅｄｉａ  Ｂｒｏａｄｃａｓｔ／Ｍｕｌｔｉｃａｓｔ  Ｓｅｒｖｉｃｅｓ、ＭＢＭＳと簡略する）業務を提供し、複数個ユーザー端末にデータのポイント・ツー・マルチポイントの業務を送信するように、移動通信ネットワークにおいて一つのデータソースを提供して、ネットワーク資源の共用を実現し、ネットワーク資源の活用率を高めた。ＭＢＭＳには、ブロードキャストとマルチキャストと言う二種類の方式があって、低速テキストファイル（ｔｘｔ）であるメッセージ類のマルチキャストとブロードキャストを実現することができるだけではなく、高速マルチメディア業務のマルチキャストとブロードキャストも実現することができる。
【０００３】
ＭＢＭＳは、ＷＣＤＭＡ／ＧＳＭパケット・ネットワークに基づいて、ＷＣＤＭＡ／ＧＳＭパケット・ネットワークにおいて、例えばブロードキャスト/マルチキャスト業務センタ（Ｂｒｏａｄｃａｓｔ  Ｍｕｌｔｉｃａｓｔ  Ｓｅｒｖｉｃｅ  Ｃｅｎｔｒｅ、ＢＭ−ＳＣと簡略する）のような新しい機能実体を増加することにより、既存のパケットドメインの機能実体である、例えばサービスＧＰＲＳサポート・ノード（Ｓｅｒｖｉｃｅ  ＧＰＲＳ  Ｓｕｐｐｏｒｔｉｎｇ  Ｎｏｄｅ、以下ＳＧＳＮと簡略する）、ゲートウェイＧＰＲＳサポート・ノード（Ｇａｔｅｗａｙ  ＧＰＲＳ  Ｓｕｐｐｏｒｔｉｎｇ  Ｎｏｄｅ、以下ＧＧＳＮと簡略する）、無線網制御装置（Ｒａｄｉｏ  Ｎｅｔｗｏｒｋ  Ｃｏｎｔｒｏｌｌｅｒ、以下ＲＮＣと簡略する）及びユーザー端末（ＵｓｅｒＥｑｕｉｐｍｅｎｔ、以下ＵＥと簡略する）等にＭＢＭＳ機能を増加する；３ＧＰＰ標準において、新しい論理共用チャンネルを定義して、無線インタフェース資源の共用を実現する。ＭＢＭＳシステムの構造模型は、図１に示したようである。ＵＥと通信接続されているＲＮＣに、ＭＢＭＳ業務モジュールが設置され、当該ＲＮＣとＳＧＳＮ、ＧＧＳＮ、ＢＭ−ＳＣが順番に接続されてＭＢＭＳ業務システムを構築する。
【０００４】
上記ＭＢＭＳ業務システムに基づいて、ＭＢＭＳ業務の完備なフローは、下記のようである。
１.          ユーザーサブスクリプション（Ｓｕｂｓｃｒｉｐｔｉｏｎ）：ＵＥと業務サプライヤー間の関係を打ち立てる； 
２.          業務アナウンスメント（Ｓｅｒｖｉｃｅ  Ａｎｎｏｕｎｃｅｍｅｎｔ）：ＭＢＭＳ業務の関連メッセージをＵＥに通告する； 
３.          加入（Ｊｏｉｎｉｎｇ）：ＵＥは、一つのマルチキャスト組に加入して、ネットワークに、ＵＥがマルチキャストデータを受信しようとすることを通告する；
４.          セッションスタート（Ｓｅｓｓｉｏｎ  ＳＴＡＲＴ）：ＢＭ−ＳＣが準備済み、データ送信準備することを示す； 
５.          ＭＢＭＳ通告（ＭＢＭＳ  Ｎｏｔｉｆｉｃａｔｉｏｎ）：ＵＥに、ＭＢＭＳデータが間もなく送信することを通告する；
６.          データ転送（Ｄａｔａ Ｔｒａｎｓｆｅｒ）：ユーザー側データの転送；
７.          セッション終了（Ｓｅｓｓｉｏｎ  Ｓｔｏｐ）：ＢＭ−ＳＣは、一定期間内にデータの送信を終了することを決め、且つキャリア資源を釈放する；
８．離れ（Ｌｅａｖｉｎｇ）：ＵＥは、当該マルチキャスト組から離れて、業務データを受信しない。
その中で、ステップ１、３、８は、マルチキャスト業務になければならないステップである。
【０００５】
ＭＢＭＳ無線転送のキャリア方式には、ポイント・ツー・ポイント（ＰｔＰ）方式とポイント・ツー・マルチポイント（ＰｔＭ）方式がある。ＰｔＰ方式において、業務のキャリアは、ポイント・ツー・ポイント方式であり、即ち、ＵＥ毎に対して業務データを単独に転送し、ＰｔＭ方式において、業務のキャリアは、ポイント・ツー・マルチポイント方式であり、即ち、複数個ＵＥに対して業務データを同時に転送する。
【０００６】
ＭＢＭＳ業務を組み立てる過程において、無線ネットワークは、コア・ネットワークから送信した業務の組み立て要求を受信した後、現在の業務の使用状況によってＵＥの数を統計して、具体的な無線キャリア方式を決める必要がある。統計結果から見て、ＵＥの数が、ＰｔＰからＰｔＭモードに変換するＵＥのしきい数を超過すると、当該ＭＢＭＳマルチキャスト業務は、ＰｔＭ転送方式を採用し、且つ関連転送方式をＵＥに通告する、もし今回の統計において、ＵＥの数がＰｔＰからＰｔＭに変換するしきい数に足りないと、ＰｔＰ転送方式を採用する。ＭＢＭＳ業務の転送間でも、ＵＥの数に対してリアルタイムに統計し、且つ統計結果によって現在ＭＢＭＳ業務の無線転送キャリア方式を動態的調整する。
【発明の開示】
【発明が解決しようとする課題】
【０００７】
しかしながら、従来技術によれば、ＵＥの数を統計する過程において、ＵＥのタイプを考量しない、且つ異なるＵＥのタイプは異なるメディア資源フォーマット（ｆｏｒｍａｔ）に対応することがあり、全てのＵＥに対して、同一フォーマットのメディア資源を転送すると、あるＵＥでメディア資源をプレー或は使用することができなくなり、ネットワーク資源の浪費になる。
【課題を解決するための手段】
【０００８】
本発明が解決しようとする技術課題は、ＭＢＭＳ業務において、ネットワーク資源の浪費を避けることができ、メディア資源転送の有効性を保障するものである。
【０００９】
本発明の一面によれば、順番に接続されたＲＮＣ、ＳＧＳＮ、ＧＧＳＮ及びＢＭ−ＳＣが含まれるマルチ・メディア・ブロードキャスト/マルチキャスト業務のデータ転送システムを提供し、その中で、更に：
フィード・パックされたユーザー端末のタイプに係るメッセージを獲得するためのＵＥタイプのサーチモジュール；
ユーザー端末のタイプとメディア資源のタイプを記憶するためのデータベース；
ＵＥタイプのサーチモジュールにより獲得された上記ユーザー端末のタイプに係るメッセージにより、上記データベースにおいて、ユーザー端末とマッチングするメディア資源のタイプをサーチし、且つ上記メディア資源のタイプとマッチングするユーザー端末の数を統計するための処理モジュールが含まれる；
上記ＲＮＣは、処理モジュールにより統計して得られた上記ユーザー端末の数によって、ＵＥにメディア資源データを転送するキャリア方式を確定するためのものである。
【００１０】
本発明に係るマルチ・メディア・ブロードキャスト／マルチキャスト業務のデータ転送システムは、端末タイプのサーチモジュールを使用してユーザー端末のタイプに係るメッセージを獲得した後、転送に採用されるキャリア方式を決め、分発しようとするＭＢＭＳメディア資源を当該メディア資源のタイプとマッチングするユーザー端末に転送して、ネットワーク資源を転送するキャリア方式の正確性を保障し、ネットワーク資源の浪費を避けることができ、メディア資源を有効的に転送することが保障できる。
【００１１】
本発明の他の一面によれば、マルチ・メディア・ブロードキャスト/マルチキャスト業務のデータ転送方法を提供し、下記のステップが含まれる：
業務の組み立て要求を受信した後、フィード・パックされたユーザー端末のタイプに係るメッセージを獲得する；
上記ユーザー端末のタイプに係るメッセージに従って、転送しようとするメディア資源のタイプとマッチングするユーザー端末の数を統計する；
上記ユーザー端末の数が所定されたしきい値より大きいかを判断し、大きい場合、ポイント・ツー・マルチポイントのキャリア方式を採用して、上記メディア資源を送信し、大きくない場合、ポイント・ツー・ポイントのキャリア方式を採用して上記メディア資源を送信する。
【００１２】
本発明に係るマルチ・メディア・ブロードキャスト／マルチキャスト業務データの転送方法は、ユーザー端末のタイプに係るメッセージを獲得した後、転送に採用されるキャリア方式を確定し、分発しようとするＭＢＭＳメディア資源を当該メディア資源のタイプとマッチングするユーザー端末に転送して、ネットワーク資源を転送するキャリア方式の正確性を保障して、ネットワーク資源の浪費を避けることができ、且つメディア資源を有効的に転送することを保障した。
【００１３】
本発明のほかの一面によれば、移動通信端末とユーザー端末のタイプに係るメッセージを送信するためのＵＥタイプのフィード・パックモジュールが含まれるマルチ・メディア・ブロードキャスト/マルチキャスト業務の端末を提供する。
【００１４】
本発明に係るマルチ・メディア・ブロードキャスト/マルチキャスト業務の端末は、ＵＥタイプのフィード・パックモジュールを設置することにより、移動通信ネットワークに、ユーザー端末のタイプに係るメッセージを送信することができ、移動通信ネットワークがユーザーの数を精確に統計することができ、マルチ・メディア・ブロードキャスト/マルチキャスト業務のデータの転送が、正確且つ有効的なキャリア方式を採用することを保障した。
【発明を実施するための最良の形態】
【００１５】
以下、図面及び実施例により、本発明に係る技術コンテントに対して、詳しく説明する。
【００１６】
本発明において、マルチ・メディア・ブロードキャスト/マルチキャスト業務のデータ転送システムを提供し、図２は当該マルチ・メディア・ブロードキャスト/マルチキャスト業務のデータ転送システムに係る実施例１の構造を示す図面であり、ＲＮＣ４、ＳＧＳＮ３、ＧＧＳＮ２、ＢＭ−ＳＣ１、ＵＥタイプのサーチモジュール５、データベース６、処理モジュール７、ＭＢＭＳ業務モジュール８が含まれる。ＵＥタイプのサーチモジュール５は、ＵＥタイプのサーチメッセージを送信し且つフィード・パックされたＵＥタイプのメッセージを受信するためのものである；データベース６は、各種のＵＥタイプとメディア資源のタイプを記憶するためのものである；処理モジュール７は、獲得したフィード・パックされたＵＥタイプメッセージによって、データベース６において、ＵＥとマッチングするメディア資源のタイプをサーチし、且つメディア資源のタイプとマッチングするＵＥの数を統計するためのものである；ＲＮＣ４中のＭＢＭＳ業務モジュール８は、当該ＵＥの数が所定されたしきい値より大きいかを判断し、大きい場合、ＰｔＭのキャリア方式でメディア資源のデータを転送し、大きくない場合、当該ＭＢＭＳ業務モジュール８は、ＰｔＰのキャリア方式でメディア資源のデータを転送する。本発明を応用するＵＥは、ＵＥタイプのサーチモジュール５にＵＥタイプのメッセージをフィード・パックするため、フィード・パックモジュールを添加する必要がある。
【００１７】
ＭＢＭＳ業務モジュール８は、一応統計したＭＢＭＳ業務のＵＥの数を獲得し、当該統計した数には、端末タイプとメディア資源間のマッチングに係る情況が考量されていない、ＵＥタイプのサーチモジュール５からＵＥタイプのサーチメッセージを送信し、ＵＥがＵＥタイプのサーチメッセージを受信した後、ＵＥタイプのメッセージをフィード・パックし、処理モジュール７がＵＥタイプのメッセージを受信した後、データベース６においてサーチして、メディア資源をマッチングし、分発しようとするメディア資源のタイプとマッチングするＵＥの数を統計し、且つＭＢＭＳ業務モジュール８により、当該ＵＥの数が所定されたしきい値より大きいかを判断し、所定されたしきい値より大きい場合、ＭＢＭＳ業務モジュール８は、ＰｔＭのキャリア方式を採用して当該分発しようとするメディア資源を送信し、所定されたしきい値より大きくない場合、ＭＢＭＳ業務モジュール８は、ＰｔＰのキャリア方式を採用して当該分発しようとするメディア資源を送信する。
【００１８】
図２において、処理モジュール７及びデータベース６は独立に設置され且つＭＢＭＳ業務モジュール８と直接に接続され、ＵＥタイプのサーチモジュール５は、上記ＲＮＣ４に搭載されている。システムに係る実施例１は、図３に示したように、ＵＥタイプのサーチモジュール５、処理モジュール７及びデータベース６を全部ＲＮＣ４に搭載することもできる。或は図４に示したように、処理モジュール７とデータベース６を独立に設置し、且つＢＭ−ＳＣ１、ＳＧＳＮ３及びＧＧＳＮ２を通じてＭＢＭＳ業務モジュール８と接続し、ＵＥタイプのサーチモジュール５は、上記ＢＭ−ＳＣ１に搭載されることもできる。或は図５のように、ＵＥタイプのサーチモジュール５、処理モジュール７とデータベース６を全部ＢＭ−ＳＣ１に搭載することもできる。
【００１９】
本発明に係るマルチ・メディア・ブロードキャスト／マルチキャスト業務のデータ転送システムに係る実施例１を通じて、ＵＥタイプのサーチモジュールを使用してＵＥタイプのメッセージをサーチして獲得した後、転送に採用されるキャリア方式を確定し、分発しょうとするＭＢＭＳメディア資源を当該メディア資源のタイプとマッチングするＵＥに転送して、ネットワーク資源を転送するキャリア方式の正確性を保障して、ネットワーク資源の浪費をはぶくことができ、メディア資源を有効的に転送することを保障した。
【００２０】
本発明に係るマルチ・メディア・ブロードキャスト／マルチキャスト業務のデータ転送システムに係る実施例１には、フォーマット変換サーバ９が更に含まれて、本発明のシステムに係る実施例２を構成した。図６は、実施例１に基づいたその中の一つ図面である、フォーマット変換サーバ９は、処理モジュール７によりデータベース６をサーチして得られたＵＥとマッチングされるメディア資源のタイプに基づいて、ＭＢＭＳ業務モジュール８中の既存の転送しようとするメディア資源に対してフォーマットを変換する。ＵＥはＵＥタイプに係るサーチメッセージを受信した後、ＵＥタイプメッセージをフィード・パックし、処理モジュール７はＵＥタイプメッセージを獲得した後、データベース６においてサーチして、メディア資源をマッチングし、分発しようとするメディア資源のタイプの他に、夫々他のメディアフォーマットに適応する端末の数を統計し、フォーマット変換サーバ９は、送信しようとするメディア資源に対して夫々フォーマットを変換し、処理モジュール７は、夫々に他のメディアフォーマットとマッチングするＵＥの数を統計し、且つＭＢＭＳ業務モジュール８により夫々所定されたしきい値より大きいかを判断し、所定されたしきい値より大きい場合、ＰｔＭのキャリア方式で当該一種或は多種のメディア資源を送信するようにＭＢＭＳ業務モジュール８を制御し、所定されたしきい値より大きくない場合、ＰｔＰのキャリア方式で当該一種或は多種のメディア資源を送信するように、ＭＢＭＳ業務モジュール８を制御する。
【００２１】
例えば、ＭＢＭＳ業務モジュール８により、現在２００個のＵＥがＭＢＭＳ業務を使用したいと一応統計され、その中で、ＵＥのタイプとしてａ、ｂ、ｃ、ｄの四種類があり、その中、分発されようとする既存のメディア資源フォーマットは、ａ種の端末タイプだけに適応できないので、フォーマット変換サーバ９は、コンテントフォーマットを変換して他の三種類のＵＥタイプに適応するようにする必要があり、処理モジュール７は判断により、ｂとｃが同じ類のメディア資源フォーマットにマッチングされ、ｄが他の一種類のメディア資源フォーマットに適応されるので、分発しようとする既存のメディア資源フォーマットを夫々に、ｂとｃにマッチングされるメディア資源フォーマット及びｄにマッチングされるメディア資源フォーマットに変換し、処理モジュール７は、夫々当該三種類のメディア資源フォーマットにマッチングできる端末の数を統計し、例えば統計結果が８０、７０、５０で、最後に夫々に三つの統計結果に対してしきい判断を行い、三種類のメディア・コンテントフォーマットに対応するしきい値は同じでもよく、異なってもよい、しきい値より大きい場合、ＭＢＭＳ業務モジュール８は、ＰｔＭのキャリア方式でメディア資源を送信し、しきい値より大きくない場合、ＰｔＰのキャリア方式でメディア資源を送信するように、ＭＢＭＳ業務モジュール８を制御し、具体的に、各種のＵＥに夫々対応するメディア資源フォーマットに従って送信する。
【００２２】
本発明に係るマルチ・メディア・ブロードキャスト／マルチキャスト業務のデータ転送システムに係る実施例２により、フォーマット変換サーバを使用して、既存の分発しようとするメディア資源に対してフォーマットを変換し、且つ処理モジュールを使用して転送に採用されるキャリア方式を確定し、ＵＥに、異なるメディア資源フォーマットで既存の分発しようとするメディア資源を転送して、メディア資源を有効的に転送することを更に保障した。
【００２３】
本発明において、更に、マルチ・メディア・ブロードキャスト／マルチキャスト業務のデータ転送方法を提供し、図７に示したように、本発明の方法に係る実施例１には、具体的に下記のステップが含まれる：
無線ネットワークは、コア・ネットワークから送信した業務の組み立て要求を受信した後、ＵＥタイプメッセージを獲得する；
獲得されたＵＥタイプメッセージに基づいて、現在転送しようとするメディア資源のタイプとマッチングするＵＥの数を統計し、当該ＵＥの数が所定されたしきい値より大きいかを判断し、所定されたしきい値のより大きい場合、ＰｔＭのキャリア方式を採用して、転送しようとするメディア資源を発送し、所定されたしきい値より大きくない場合、ＰｔＰのキャリア方式を採用して転送しようとするメディア資源を発送する。
【００２４】
具体的に、ユーザー端末のタイプに係るメッセージを獲得するには、業務を組み立てようとするＵＥに、ＵＥタイプのサーチメッセージを送信することにより行うことができる。
ＵＥタイプのサーチメッセージを発送する前に、ＭＢＭＳ業務を組み立てようとするＵＥの数を統計して獲得することを含むこともでき、当該統計された数には、ＵＥタイプとメディア資源のタイプ間のマッチング状況が考量されていなくて、ＵＥタイプのサーチメッセージを発送することは、即ち上記統計されたＭＢＭＳ業務を要求したユーザー端末に対し、ＵＥタイプのサーチメッセージを発送することである。
【００２５】
本発明を応用するＵＥは、ＵＥタイプのメッセージをフィード・パックする機能が必要である。
【００２６】
本発明に係るマルチ・メディア・ブロードキャスト／マルチキャスト業務のデータ転送方法に係る実施例１は、ＵＥタイプに係るメッセージを獲得した後、転送に採用されるキャリア方式を確定し、分発しようとするＭＢＭＳメディア資源を当該メディア資源のタイプとマッチングするＵＥに転送して、ネットワーク資源の転送キャリア方式の正確性を保障して、ネットワーク資源の浪費をはぶくことができた。
【００２７】
本発明に係るマルチ・メディア・ブロードキャスト／マルチキャスト業務のデータ転送方法に係る実施例１に基づいて、更に下記のステップも含まれ、本発明の方法に係る実施例２を構成する、図８は、実施例２に係る全体方法のフローチャートである。具体的に増加されたステップは下記の通りである。
【００２８】
転送しようとするメディア資源のタイプとマッチングしないＵＥに対して、データベースにおいてサーチすることにより、各ＵＥとマッチングするメディア資源のタイプを獲得する；
転送しようとするメディア資源のタイプを、夫々に各種のＵＥとマッチングするメディア資源のタイプに変換し、且つ、タイプ変換後のメディア資源を送信する。分発しようとするメディア資源に対してフォーマットを変換した後で、ＵＥに送信することにより、メディア資源が、各ＵＥにおいて正常的にプレー或いは使用するように保障することができる。
【００２９】
具体的に、タイプが変換された後のメディア資源を送信する前に、各種のメディア資源のタイプとマッチングするＵＥの数を夫々に統計することができ；且つ、各種のメディア資源のタイプとマッチングするＵＥの数が所定されたしきい値より大きいかを夫々に判断することができ、所定されたしきい値より大きい場合、ＰｔＭのキャリア方式を採用してタイプが既に変換されたメディア資源を送信し、所定されたしきい値より大きくない場合、ＰｔＰのキャリア方式を採用してタイプが既に変換されたメディア資源を送信する。
【００３０】
例えば、現在、２００個のＵＥがＭＢＭＳ業務を使用すると一応統計され、その中、ＵＥのタイプとしては、ａ、ｂ、ｃ、ｄのような四種類があり、その中で、分発しようとする既存のメディア資源のフォーマットは、ａ種類の端末タイプだけに適用するので、他の三種類のＵＥのタイプにも適用できるように、コンテントのフォーマットを変換する必要があり、判断によれば、ｂとｃは、同種類のメディア資源のフォーマットにマッチングすることができるが、ｄは、他の一種類のメディア資源のフォーマットにマッチングするので、分発しようとする既存のメディア資源のフォーマットを、夫々にｂとｃにマッチングされるメディア資源のフォーマット及びｄにマッチングされるメディア資源のフォーマットに変換し、そのような三種類のメディア資源のフォーマットにマッチングできる端末の数を夫々に統計し、例えば、統計結果が８０、７０、５０で、最後に三つの統計結果に対して、しきい判断を行い、三種類のメディア・コンテントのフォーマットと対応するしきい値は、相同してもよい、相同しなくてもよい、もし、しきい値より大きい場合、ＰｔＭのキャリア方式でメディア資源を送信し、しきい値より大きくない場合、ＰｔＰのキャリア方式でメディア資源を送信する。
【００３１】
本発明に係るマルチ・メディアブロードキャスト／マルチキャスト業務のデータ転送方法に係る実施例２は、分発しようとするメディア資源に対してフォーマットを変換した後、転送することに採用しようとするキャリア方式を確定し、ＵＥに対して、異なるメディア資源のフォーマットにて、分発しようとするメディア資源を転送することができ、メディア資源が有効的に転送できるように、更に保障することができる。
【００３２】
本発明において、マルチ・メディア・ブロードキャスト／マルチキャスト業務の端末も提供し、移動通信端末が含まれ、即ち、ＵＥとユーザー端末のタイプメッセージを送信するためのＵＥタイプのフィード・パックモジュールが含まれる。ＵＥタイプのサーチメッセージが獲得された時、ＵＥタイプのフィード・パック・モジュールは、ユーザー端末のタイプメッセージをフィード・パックすることができる。
【００３３】
図９に示したように、本発明の端末に係る実施例１であり、その中で、ＵＥタイプのフィード・パックモジュールは、移動通信端末と一体化に設置することができる。
【００３４】
図１０に示したように、本発明の端末に係る実施例２であり、ＵＥタイプのフィード・パックモジュールは、移動通信端末と通信でき、且つ分離設置されることができる。
【００３５】
本発明に係るマルチ・メディア・ブロードキャスト/マルチキャスト業務の端末は、ＵＥタイプのフィード・パックモジュールを設置することにより、移動通信ネットワークに、ユーザー端末のタイプメッセージを送信することができ、移動通信ネットワークによりユーザーの数を精確的に統計することができ、マルチ・メディア・ブロードキャスト／マルチキャスト業務のデータの転送が正確且つ有効的なキャリア方式を採用することを保障することができる。
【００３６】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して修訂或は均等交替を行うことができ、本発明の技術形態を離脱しない精神は、本発明が保護しようとする技術案の範囲に属することは明白である。
【図面の簡単な説明】
【００３７】
【図１】従来技術においてＭＢＭＳ業務を実現する構造を示す図面である。
【図２】本発明に係るマルチ・メディア・ブロードキャスト／マルチキャスト業務のデータ転送システムの実施例１を示す図面である。
【図３】本発明に係るマルチ・メディア・ブロードキャスト／マルチキャスト業務のデータ転送システムの実施例１を示す他の図面である。
【図４】本発明に係るマルチ・メディア・ブロードキャスト／マルチキャスト業務のデータ転送システムの実施例１を示す他の図面である。
【図５】本発明に係るマルチ・メディア・ブロードキャスト／マルチキャスト業務のデータ転送システムの実施例１を示す他の図面である。
【図６】本発明に係るマルチ・メディア・ブロードキャスト／マルチキャスト業務のデータ転送システムの実施例２を示す図面である。
【図７】本発明に係るマルチ・メディア・ブロードキャスト／マルチキャスト業務のデータ転送方法の実施例１のフローチャートである。
【図８】本発明に係るマルチ・メディア・ブロードキャスト／マルチキャスト業務のデータ転送方法の実施例２のフローチャートである。
【図９】本発明に係るマルチ・メディア・ブロードキャスト／マルチキャスト業務の端末の実施例１の構造を示す図面である。
【図１０】本発明に係るマルチ・メディア・ブロードキャスト／マルチキャスト業務の端末の実施例２の構造を示す図面である。
【符号の説明】
【００３８】
５    サーチモジュール
６    データベース
７    処理モジュール
８    ＭＢＭＳ業務モジュール
９    フォーマット変換サーバ
【図１】
2008283685.tif 000003
【図２】
2008283685.tif 000004
【図３】
2008283685.tif 000005
【図４】
2008283685.tif 000006
【図５】
2008283685.tif 000007
【図６】
2008283685.tif 000008
【図７】
2008283685.tif 000009
【図８】
2008283685.tif 000010
【図９】
2008283685.tif 000011
【図１０】
2008283685.tif 000012